【事件の表示】
　特願２００１−３４０５８９「面実装インダクタンス素子」拒絶査定不服審判事件〔平成１４年１１月１５日出願公開、特開２００２−３２９６１９〕について、次のとおり審決する。
【結　論】
　本件審判の請求は、成り立たない。
【理　由】
第１　手続きの経緯 
　本願は、平成１３年１１月６日（優先権主張平成１３年２月２７日）の出願であって、平成１６年１２月２日付けで拒絶理由通知（第２９条第２項）がなされ、これに対し、平成１７年２月１６日付けで手続補正がなされると共に、同日付けで意見書が提出され、平成１７年６月１０日付けで拒絶査定がなされ、これに対して、平成１７年７月２７日に拒絶査定不服審判が請求されるとともに、同日付けで手続補正がなされ、その後、当審において平成１８年８月３日付けで審尋がなされ、これに対し、平成１８年８月１２日に回答書が提出されたものである。
 　
第２　平成１７年７月２７日付けの手続補正（以下、「本件補正」という。）についての補正却下の決定 
 　［補正却下の決定の結論］ 
 　　平成１７年７月２７日付けの手続補正を却下する。 
 　 
　［理由］ 
　１　本件補正の内容 
 　平成１７年２月１６日付け手続補正で補正された　 
 「【請求項１】　コイルが巻かれた柱状内部コアと、この内部コアの上下端に設けられたつば部と、コイルの外周に配され、複数個の端子装着孔を柱状方向に有した外部コアおよび端子装着孔に装着された棒状端子からなるインダクタンス素子において、前記外部コアには、端子装着孔の位置に、外周側に開放されるとともに内部コアの下端に設けられたつば部の外面に対し上側に段差を有した切り欠を有し、前記棒状端子は下端側がつぶされて平頭形状となされ、その下面が前記下端部に設けられたつば部の外面より所定量下方へ凸出していることを特徴とする面実装型インダクタンス素子。」は、本件補正により、 
 「【請求項１】
　印刷配線板（Ｈ）に面実装されるインダクタンス素子であって、上下端に設けられたつば部（１ａ、１ｂ）の内側にコイル（２、２２）が巻回されたドラム型内部コア（１、１１）と、該コイルの外周に配され、内径が前記ドラム型コアとほぼ同心の円形で外径が平面視で矩形を成すとともに、該矩形の四隅の内少なくとも二隅部に端子装着孔（３ａ、３ｅ）が形成され、該端子装着孔に端子（４、４４）が装着された筒型外部コア（３、３３）とからなるインダクタンス素子において、前記端子は少なくとも下端側に抜け止め手段（４ａ、４ｂｂ）が形成されると共に、この下端側下面は前記ドラム型コアの下方のつば部（１ｂ、１１ｂ、１２ｂ）の底面より少し下方に突き出ていて前記印刷配線板に接するように位置され、かつ、該下端側は外部コアの側方から覗かれるようになっており、上端側（４ｂ、４４ａ）が外部コアの上方に突き出され、該上端側上面が前記ドラム型内部コアの上端つば部（１ａ、１ａａ）から上方に突き出ないようになっており、この上端側にコイル端末（２ａ）が結線されて接着剤で固定された面実装型インダクタンス素子。」と補正された。 
 　 
　２　補正の目的制限違反について 
　本件補正は、審判請求時になされた補正であるから、特許法第１７条の２第４項第１号ないし第４号の規定により、請求項の削除、特許請求の範囲の減縮、誤記の訂正、明りょうでない記載の釈明のいずれかの事項を目的とするもの以外の特許請求の範囲についてする補正は、認められない。 
　しかし、本件補正前の特許請求の範囲の請求項１における「棒状端子」、「前記棒状端子は下端側がつぶされて平頭形状となされ、」が、本件補正により、それぞれ、「端子（４、４４）」、「前記端子は少なくとも下端側に抜け止め手段（４ａ、４ｂｂ）が形成され」と補正されているが、これらの補正は、概念的に拡張されており、下位に限定されていない。
　同じく、本件補正前の特許請求の範囲の請求項１における「前記外部コアには、端子装着孔の位置に、外周側に開放されるとともに内部コアの下端に設けられたつば部の外面に対し上側に段差を有した切り欠を有し、」が、本件補正により、「該下端側は外部コアの側方から覗かれるようになっており、」と、構成を効果で代替させた記載で補正されている。この補正は、概念的に拡張変更するものであり、下位に限定されていない。
　
　したがって、本件補正は、請求項の削除、特許請求の範囲の減縮、誤記の訂正、明りょうでない記載の釈明のいずれの事項をも目的とするものでなく、特許法第１７条の２第４項に規定する要件を満たしていない。 
 　 
　３　むすび 
　以上のとおり、本件補正は、特許法第１７条の２第４項に規定する要件を満たしていないので、特許法第１５９条第１項において読み替えて準用する特許法第５３条第１項の規定により却下すべきものである。 
　
第３　本願発明について 
　１　本願発明 
　平成１７年７月２７日付けの手続補正は前記「第２」のとおり却下されたので、本願の請求項１に係る発明（以下、「本願発明」という。）は、平成１７年２月１６日付けで手続補正された特許請求の範囲の請求項１に記載された事項により特定される、以下のとおりのものである。 
 「【請求項１】　コイルが巻かれた柱状内部コアと、この内部コアの上下端に設けられたつば部と、コイルの外周に配され、複数個の端子装着孔を柱状方向に有した外部コアおよび端子装着孔に装着された棒状端子からなるインダクタンス素子において、前記外部コアには、端子装着孔の位置に、外周側に開放されるとともに内部コアの下端に設けられたつば部の外面に対し上側に段差を有した切り欠を有し、前記棒状端子は下端側がつぶされて平頭形状となされ、その下面が前記下端部に設けられたつば部の外面より所定量下方へ凸出していることを特徴とする面実装型インダクタンス素子。」 
　
　２　原査定の拒絶の理由に引用された刊行物に記載された発明
　刊行物１：実公昭４０−２８９０５号公報（引用例２）
刊行物１は、「無線周波変成器」（考案の名称）に関するもので、第１〜５図と共に以下の事項が記載されている。
　
「本考案は主としてトランジスタ用の小型中間周波変成器、その他の高周波線輪などに適用できるものである。」（第１頁左欄１９〜２１行）
　
「すなわち、本考案は第１図に示すように一方側が開口している円筒状の磁性体キヤツプコア１の周壁に複数個の端子ピン２を縦方向に貫通させての端子ピン２の両端をキヤツプコア１の上下両端より突出せしめ、且つこのキヤツプコア１の内部に収容された磁性体コアボビン３に巻かれたコイル４のリード線５をキヤツプコア１の開口端側に突出している端子ピン２の凸出部２’に接続し、キヤツプコア１の閉口端側に突出している端子ピン２の凸出部２”をプリント基板挿込用とすることが特徴である。」（第１頁左欄２７〜３７行）
　
「コアボビン３の上側フランジ３’はリード線５を引出し易くするため第２図に示すように周辺に凹溝７を設けるとか、又はキヤツプコア１との間に隙間をあけるとかの工夫が必要である。」（第１頁右欄２〜５行）
　
「キヤツプコア１の形状は第２図の如き通有の円筒形のほか、第３図の如く端子ピン２を貫通させる部分に凸条８を作るとか、或いは第４図の如く角形にするとか種々の形状をとり得る。」（第１頁右欄１４〜１７行）
　
　そして、第１、２図にはコアボビン３の下側には、上側に設けられた上側フランジ３’と同様のフランジ（以下、「下側フランジ」と言う。）が設けられていること、磁性体キヤツプコア１がコイル４の外周と下方に配されていることが示されている。さらに、「すなわち、本考案は第１図に示すように一方側が開口している円筒状の磁性体キヤツプコア１の周壁に複数個の端子ピンを縦方向に貫通させて・・・」（第１頁左欄２７〜２９行）との記載されていることから、第１〜４図の図示も考慮すると、当然、磁性体キヤツプコア１の周壁に、端子ピン２を縦方向に貫通させる４個の孔（以下、貫通孔と言う。）を有するものである。
　以上から、刊行物１には、「コイル４が巻かれた磁性体コアボビン３と、この磁性体コアボビン３の上下端に設けられた上側フランジ３’と下側フランジと、コイル４の外周と下方に配され、４個の貫通孔を縦方向に有した磁性体キヤツプコア１および貫通孔に貫通させた端子ピン２からなる無線周波変成器。」（以下、引用発明という。）が記載されている。
　
　刊行物２：特開平７−１４２２５７号公報（引用例４）
　刊行物２は、「面実装型コイル」（発明の名称）に関するもので、図１、２、３（Ａ）、３（Ｂ）と共に以下の事項が記載されている。
「【特許請求の範囲】
【請求項１】  巻線が捲回されたドラム型コアと、該ドラム型コアを挿通する円筒形状の外装コアと、前記ドラム型コア底面に設けられた電極部と、を有する面実装型コイルにおいて、前記外装コアの底面側の前記電極部近傍に切欠部を設けたことを特徴とする面実装型コイル。
【請求項２】  前記外装コアの切欠部に外周面側の切欠面が大きく内周面側の切欠面が小さくなるようなテーパが設けられた形状であることを特徴とする請求項１記載の面実装型コイル。」
　
「【０００１】
【産業上の利用分野】本発明は、電子機器の回路基板に面実装する高周波用トランス、チョークコイル等の面実装型コイル部品の半田付け状態を目視確認及び半田修正が可能な面実装型コイルに関するものである。」
　
「【００２２】図１において、高周波トランス２０は、巻線が捲回されたドラム型コア１と、該ドラム型コア１を挿通する円筒形状の外装コア１２と、前記ドラム型コア底面の下端鍔部６に設けられた電極部１５ａ〜１５ｄと、を有する面実装型コイルであって、前記外装コア１２の底面側の前記電極部１５ａ〜１５ｄの各近傍に切欠部１６ａ〜１６ｄを設けた構造を特徴とする面実装型コイルである。
【００２３】上記ドラム型コア１は前述のように、磁性材料として一般的なフェライトを成型することにより、垂直方向に配置された柱状のコイル巻軸部の上端及び下端にそれぞれ上端鍔部８、下端鍔部６を配設した構造であって、前記コイル巻軸部に巻線３（トランスの場合は一次巻線、二次巻線）を捲回する。
【００２４】また、外装コア１２は前記ドラム型コア１と同じ磁性材料（フェライト）から成り、ドラム型コア１が挿通されうる内径を有する適当な厚さの円筒型となっており、両者は上端鍔部８と下端鍔部６の周面にて固着される。」
　
「【００３０】上記構造に加えて、本高周波トランス２０は外装コア１２の底面側の前記各電極部１５ａ〜１５ｄの近傍（切欠溝１７ａ〜１７ｄを中心とする半径約５ｍｍ内）にそれぞれ切欠部１８ａ〜１８ｄが設けられている。」
　
 「【００３２】上記切欠部１８ａ〜１８ｄが設けられた高周波トランス２０を実装基板に半田付けする際には、図２に示されるように、基板のランド電極１９ａ〜１９ｄへの半田付け部分２１ａ〜２１ｄの濡れ上がりの確認が各切欠部１８ａ〜１８ｄを通して外部（基板斜め上方）から目視確認することができる。」
　
「【００３４】尚、図３の（Ａ）の上記高周波トランス２０の縦断面図から分かるように、外装コア１２の切欠部１８ａ〜１８ｄの切欠面は内周面側２４ａ〜２４ｄ、外周面側２５ａ〜２５ｄともに等しい面積であって、最頂部２６ａ〜２６ｄは基板面と平行になっているが、該切欠部の形状はこれに限られるものではなく、前述の半田付け部の目視確認や半田コテによる半田修正がしやすいような形状であれば他の適当な形状であってもよいことは勿論である。」
　
　そして、図１、２、３には、外周側に開放されるとともにドラム型コア１の下端鍔部６の外面に対し上側に段差を有した切欠部１８ａ〜１８ｄを設けたことが示されている。
　
　以上から、刊行物２には、「面実装型コイルにおいて、外装コア１２には、下端鍔部６に設けられた電極部１５ａ〜１５ｄの各近傍に、外周側に開放されるとともにドラム型コア１の下端鍔部６の外面に対し上側に段差を有した切欠部１８ａ〜１８ｄ（２８ａ〜２８ｄ）を設けて、半田付け状態を目視確認及び半田修正を可能にしたこと」が記載されている。
　
　刊行物３：特開平１０−１０６８５７公報（引用例３）
　刊行物３は、「コイル装置」（発明の名称）に関するもので、図１１、１２と共に以下の事項が記載されている。
「【０００４】ベース４の両側端部近傍にはリングコア３の切欠３ａ，３ｂに対向する位置にフープ端子５が装着されている。巻線２の端末２ａは切欠３ａ，３ｂを通して外部に引き出され、フープ端子５の外方向に突出させた部分５ａに巻回されている。またフープ端子５のベース４の下面側に突出する部分５ｂはベース４の下面に沿って外側に折り曲げられ、回路基板上の導体パターンに面実装するときの実装端子となっている。」
　
「【００２６】・・・・また、上記実施の形態では端子が金属薄板で帯状に形成されたフープ端子５である場合について説明したが、端子は図１１及び図１２に示すような鋲状端子２１であってもよい。鋲状端子２１は図１１に示すように金属製の棒状部２１ａとその一端に一体に形成された平頭部１ｂとから構成されている。鋲状端子２１は図１２に示すように外ケース１１の四隅近傍に形成された第２の孔部１ｄに挿通され、平頭部２１ｂは凹部１１ｅに嵌合されて実装端子を構成する。・・・・」
　
　以上から、刊行物３には、「面実装型のコイル装置において、孔部１ｄに挿通される鋲状端子２１の一端に、平頭部２１ｂが一体に形成されている」ことが記載されている。
　
　３　本願発明と引用発明との対比・判断 
　本願発明と引用発明とを対比すると、引用発明の「磁性体コアボビン３」、「上側フランジ３’と下側フランジ」、「４個の貫通孔」、「縦方向」、「磁性体キヤツプコア１」、「端子ピン」、「無線周波変成器」は、それぞれ本願発明の「柱状内部コア」、「つば部」、「複数個の端子装着孔」、「柱状方向」、「外部コア」、「棒状端子」、「インダクタンス素子」に相当するので、両者は、 
「コイルが巻かれた柱状内部コアと、この内部コアの上下端に設けられたつば部と、複数個の端子装着孔を柱状方向に有した外部コアおよび端子装着孔に装着された棒状端子からなるインダクタンス素子。」で一致し、 
　
　相違点１：本願発明では、外部コアが「コイルの外周（のみ）に配され」ているのに対して、引用発明では、磁性体キヤツプコア１（外部コア）がコイルの外周と下方に配されている点、
　相違点２：本願発明では、「前記外部コアには、端子装着孔の位置に、外周側に開放されるとともに内部コアの下端に設けられたつば部の外面に対し上側に段差を有した切り欠を有し、前記棒状端子は下端側がつぶされて平頭形状となされ、その下面が前記下端部に設けられたつば部の外面より所定量下方へ凸出してい」るのに対して、引用発明では、このような構成を備えていない点
において、両者は相違する
　
　そこで、上記相違点について検討する。 
　［相違点１］
　インダクタンス素子において、外形状が、コイルの外周（のみ）に配されるようにしたコアを外部コアとして用いることは、周知である（特開平７−１４２２５７号公報（刊行物２）に記載の「外装コア２、１２、２８」、実願平４−１８４７５号（実開平５−７９９１５号）のＣＤ−ＲＯＭに記載の「筒状コア１１」参照。）。
　したがって、引用発明の磁性体キヤツプコア１（外部コア）の外形状をコイルの外周（のみ）に配されるように変更することは、上記周知事項を参酌すれば、当業者が適宜なし得たことである。
　
　［相違点２］
　刊行物２には、「面実装型コイルにおいて、外装コア１２には、下端鍔部６に設けられた電極部１５ａ〜１５ｄの各近傍に、外周側に開放されるとともにドラム型コア１の下端鍔部６の外面に対し上側に段差を有した切欠部１８ａ〜１８ｄを設けて、半田付け状態を目視確認及び半田修正を可能にした」ことが記載されている。そして、刊行物３には、「面実装型のコイル装置において、孔部１ｄに挿通される鋲状端子２１の一端に、平頭部１ｂが一体に形成されている」ことが記載されている。また、インダクタンス素子を面実装型として用いることは周知であり、刊行物２の外装コアに設けられた切欠部１８ａ〜１８ｄ（２８ａ〜２８ｄ）は半田付け部分の目視確認のためのものであるから、引用発明の磁性体キヤツプコア１（外部コア）の外形状を刊行物２の目視確認用の切欠部１８を設けた外装コア１２に変更すると共に、端子ピン２（棒状端子）に代えて、刊行物３の「平頭部１ｂが一体に形成されている鋲状端子２１」を使用して面実装型インダクタンス素子として用いることは当業者が適宜なし得たことである。
　その際、面実装型インダクタンス素子において、電極端子の下面を内部コアの下端部に設けられたつば部の外面より凸出させることは周知技術（実願平４−１８４７５号（実開平５−７９９１５号）のＣＤ−ＲＯＭ）に記載のドラムコア１７の下端部（つば部）と端子１４との位置関係、特開平３−６８０４号公報に記載の本体コア１の鍔部１ｂと電極４との位置関係参照。）であるから、「（棒状端子の下端側の）下面を（内部コアの）下端部に設けられたつば部の外面より所定量下方へ凸出」させることは格別なこととは認められない。また、 鋲状端子２１の平頭部１ｂをつぶすことによって平頭形状とすることも格別なこととは認められない。　
　したがって、本願発明は、刊行物１〜３に記載された発明及び上記周知技術に基づいて、当業者が容易に発明をすることができたものである。
　
　４　むすび 
　以上のとおり、本願発明は、刊行物１〜３に記載された発明及び上記周知技術に基づいて、当業者が容易に発明をすることができたものであるから、特許法第２９条第２項の規定により特許を受けることができず、他の請求項に係る発明について検討するまでもなく、本願は拒絶されるべきものである。 
 　よって、結論のとおり審決する。